【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
従業員が従業員ワークステーションに位置する間に、前記従業員の健康を監視するためのシステムであって、前記従業員ワークステーションおよびバイオメトリック健康監視サーバを備え、
前記従業員ワークステーションが、
従業員コンピュータ、ならびに
前記従業員ワークステーション全体にわたって配置され、前記従業員のバイオメトリック特性を感知し、前記従業員の前記バイオメトリック特性を示す対応するバイオメトリック健康データを出力するように構成される、複数のバイオメトリックセンサを含むものであり、
前記バイオメトリック健康監視サーバが、
前記従業員の前記バイオメトリック特性を示す前記バイオメトリック健康データを収集することと、
前記収集されたバイオメトリック健康データの少なくとも一部に基づいて、従業員バイオメトリック健康プロファイルを判定することであって、前記従業員バイオメトリック健康プロファイルは、前記従業員のバイオメトリック健康特性、バイオメトリック健康状態、およびバイオメトリックな健康の危険性のうちの１つ以上を含むものである、従業員バイオメトリック健康プロファイルを判定することと、
前記従業員バイオメトリック健康プロファイルの少なくとも一部に基づいて、前記従業員のための健康計画を生成することと、
前記従業員コンピュータに、前記従業員への表示のために、前記従業員バイオメトリック健康プロファイルおよび前記従業員のための前記健康計画を含む、健康コンテンツを供給することと、を行うように構成されたものである、システム。
【請求項２】
前記従業員ワークステーションに配置された椅子に位置付けられるように構成された椅子パッドをさらに備え、前記複数のバイオメトリックセンサは、前記椅子パッドに位置付けられ、前記従業員が前記椅子に着席している間に前記従業員の体温および体脂肪を感知するように構成される、温度センサおよび体脂肪センサを備える、請求項１に記載のシステム。
【請求項３】
前記従業員ワークステーションは、フロアを備え、前記複数のバイオメトリックセンサは、前記従業員ワークステーションの前記フロア上に位置付けられているフロアマットに配置され、前記従業員の足が前記フロアマット上に位置付けられている間に前記従業員の体温、体脂肪、および身体の位置を感知するように構成される、温度センサ、体脂肪センサ、および位置センサを備える、請求項１または２のいずれかに記載のシステム。
【請求項４】
前記従業員ワークステーションは、コンピュータマウスを備え、前記複数のバイオメトリックセンサは、前記コンピュータマウスと一体化され、前記従業員が前記コンピュータマウスを使用している間に前記従業員の体温、血圧、および血液状態を感知するように構成される、温度センサ、血圧センサ、および血液状態センサを備える、請求項１〜３のいずれかに記載のシステム。
【請求項５】
前記収集された健康データの少なくとも一部に基づいて従業員の健康プロファイルを判定することは、前記収集された健康データを使用して、１つ以上の健康課題を予測することを含み、前記健康の内容は、実際の健康課題に発展する前に、従業員に前記１以上の予測された健康課題を知らしめて、前記１つ以上の予測された健康課題に前もって対応することができるように提供された警告を含む、請求項１〜４のいずれかに記載のシステム。
【請求項６】
前記収集された健康データを用いて、１つ以上の健康課題を予測することは、(a) 前記収集された健康データに基づいて判定された従業員の健康プロファイル、および(b)従業員に対する現在までの健康特性に基づいて、予測的な分析を実施することを含む、請求項５に記載のシステム。
【請求項７】
前記バイオメトリック健康監視サーバが、さらに、
前記バイオメトリック健康データに基づいて警告条件が存在するかどうかを判定し、
警告条件が存在すると判定することに対応して、対応する警告を対応人員に送ることを無効にするか、またはその警告が送られることを許可するかを、前記従業員に促し、
前記警告を送ることを無効にするとの選択を受け取ることに対応して、前記警告を前記対応人員に送らず、
前記警告を送ることを無効にするとの選択を受け取らないことに対応して、前記警告を前記対応人員に送る
ように構成されている、請求項１〜６のいずれかに記載のシステム。
【請求項８】
前記バイオメトリック健康監視サーバが、さらに、
前記健康データに基づいて警告条件が存在するかどうかを判定すること、および警告条件が存在すると判定することに対応して、警告を対応人員に提供するように構成されており、
前記健康データに基づいて警告条件が存在するかどうかを判定することは、
前記バイオメトリック健康プロファイルが異常な健康特性又は健康状態を含むかどうかを判定すること、
前記バイオメトリック健康プロファイルが異常な健康特性又は健康状態を含むと判定することに対応して、これを前記バイオメトリック健康プロファイルの他の特性又は状態と比較して、これらが全体として、緊急事態発生に相当するかを確認すること、
前記健康特性又は健康状態が緊急事態発生に相当すると判定することに対応して、警告条件が存在すると判定すること、および
前記健康特性又は健康状態が緊急事態発生に相当しないと判定することに対応して、警告条件が存在しないと判定すること、
を含む、請求項１〜７のいずれかに記載のシステム。
【請求項９】
前記複数のバイオメトリックセンサは、
１つ以上の温度変換器、１つ以上の力変換器、１対以上の導電性接触部、１つ以上の血圧変換器、１つ以上の呼吸センサ、および１つ以上のパルスオキシメーターのうちの少なくとも１つを含む１組のバイオメトリックセンサを含み、前記１組のバイオメトリックセンサは、前記従業員の体温を示す１つ以上の前記温度変換器により出力された温度データ、前記従業員の体重を示す１つ以上の前記力変換器により出力された力データ、前記従業員の体を示す１対以上の前記導電性接触部により出力された抵抗データ、前記従業員の血圧を示す１つ以上の前記血圧変換器により出力された圧力データ、前記従業員の呼吸数を示す１つ以上の前記呼吸センサにより出力された呼吸データ、および前記従業員の血液酸化を示す１つ以上の前記パルスオキシメーターにより出力された血液状態データで構成されるバイオメトリックセンサのデータを出力するように構成されている、請求項１〜８のいずれかに記載のシステム。
【請求項１０】
従業員が従業員ワークステーションに位置する間に、前記従業員の健康を監視するための、コンピュータにより実行される方法であって、
前記従業員ワークステーション全体にわたって配置された複数のバイオメトリックセンサから、前記従業員のバイオメトリック特性を示すバイオメトリック健康データを収集することであって、前記複数のバイオメトリックセンサは、前記従業員の前記バイオメトリック特性を感知し、前記従業員の前記バイオメトリック特性を示す対応するバイオメトリック健康データを出力するように構成されたものである、バイオメトリック健康データを収集することと、
前記収集されたバイオメトリック健康データの少なくとも一部に基づいて、従業員バイオメトリック健康プロファイルを判定することであって、前記従業員バイオメトリック健康プロファイルは、前記従業員のバイオメトリック健康特性、バイオメトリック健康状態、およびバイオメトリックな健康の危険性のうちの１つ以上を含むものである、従業員バイオメトリック健康プロファイルを判定することと、
前記バイオメトリック健康プロファイルの少なくとも一部に基づいて、前記従業員のための健康計画を生成することと、
前記ワークステーションにおける従業員コンピュータに、前記従業員への表示のために、前記従業員バイオメトリック健康プロファイルおよび前記従業員のための前記健康計画を含む、健康コンテンツを供給することと、を含む、方法。
【請求項１１】
前記複数のバイオメトリックセンサは、前記従業員ワークステーションの椅子に位置付けられるように構成されている椅子パッドに配置され、前記従業員が前記椅子に着席している間に前記従業員の体温および体脂肪を感知するように構成される、温度センサおよび体脂肪センサを備える、請求項１０に記載の方法。
【請求項１２】
前記複数のバイオメトリックセンサは、フロア上に位置付けられル用に構成されているフロアマットに配置され、前記従業員の足が前記フロアマット上に位置付けられている間に前記従業員の体温、体脂肪、および身体の位置を感知するように構成される、温度センサ、体脂肪センサ、及び位置センサを備える、請求項１０または１１に記載の方法。
【請求項１３】
前記従業員ワークステーションは、コンピュータマウスを備え、前記複数のバイオメトリックセンサは、前記コンピュータマウスと一体化され、前記従業員が前記コンピュータマウスを使用している間に前記従業員の体温、血圧、および血液状態を感知するように構成される、温度センサ、血圧センサ、および血液状態センサを備える、請求項１０〜１２のいずれかに記載の方法。
【請求項１４】
前記収集された健康データに基づいて従業員の健康プロファイルを判定することは、前記収集された健康データを使用して、１つ以上の健康課題を予測することを含み、前記健康の内容は、実際の健康課題に発展する前に、従業員に前記１つ以上の予測された健康課題を知らしめて、前記１つ以上の予測された健康課題に前もって対応することができるように提供された警告を含む、請求項１０〜１３のいずれかに記載の方法。
【請求項１５】
前記収集された健康データを用いて、１つ以上の健康課題を予測することは、(a) 前記収集された健康データに基づいて判定された従業員の健康プロファイル、および(b)従業員に対する現在までの健康特性に基づいて、予測的な分析を実施することを含む、請求項１４に記載の方法。
【請求項１６】
前記バイオメトリック健康データに基づいて警告条件が存在するかどうかを判定し、
警告条件が存在すると判定することに対応して、対応する警告を対応人員に送ることを無効にするか、またはその警告が送られることを許可するかを、前記従業員に促し、
前記警告を送ることを無効にするとの選択を受け取ることに対応して、前記警告を前記対応人員に送らず、
前記警告を送ることを無効にするとの選択を受け取らないことに対応して、前記警告を前記対応人員に送ることをさらに含む、請求項１０〜１５のいずれかに記載の方法。
【請求項１７】
前記バイオメトリック健康データに基づいて警告条件が存在するかどうかを判定すること、および警告条件が存在すると判定することに対応して、警告を対応人員に提供することをさらに含み、
前記バイオメトリック健康データに基づいて警告条件が存在するかどうかを判定することは、
前記バイオメトリック健康プロファイルが異常な健康特性又は健康状態を含むかどうかを判定すること、
前記バイオメトリック健康プロファイルが異常な健康特性又は健康状態を含むことを判定することに対応して、これを前記バイオメトリック健康プロファイルの特性又は状態と比較して、これらが全体として、緊急事態発生に相当するかを確認すること、
前記健康特性又は健康状態が緊急事態発生に相当すると判定することに対応して、警告条件が存在すると判定すること、および
前記健康特性又は健康状態が緊急事態発生に相当しないと判定することに対応して、警告条件が存在しないと判定すること、
を含む、請求項１０〜１６のいずれかに記載の方法。
【請求項１８】
前記複数のバイオメトリックセンサは、
１つ以上の温度変換器、１つ以上の力変換器、１対以上の導電性接触部、１つ以上の血圧変換器、１つ以上の呼吸センサ、および１つ以上のパルスオキシメーターの中の少なくとも１つを含む一組のバイオメトリックセンサを含み、前記一組のバイオメトリックセンサは、前記従業員の体温を示す１つ以上の前記温度変換器により出力された温度データ、前記従業員の体重を示す１つ以上の前記力変換器により出力された力データ、前記従業員の体を示す１対以上の前記導電性接触部により出力された抵抗データ、前記従業員の血圧を示す１つ以上の前記血圧変換器により出力された圧力データ、前記従業員の呼吸数を示す１つ以上の前記呼吸センサにより出力された呼吸データ、および前記従業員の血液酸化を示す１つ以上の前記パルスオキシメーターにより出力された血液状態データで構成されるバイオメトリックセンサのデータを出力するように構成されている、請求項１０〜１７のいずれかに記載の方法。
【請求項１９】
従業員がワークステーションで作業しているときに、前記従業員の健康を監視するのに使用するためのプログラム命令を含む、非一過性コンピュータ可読記憶媒体であって、
前記ワークステーションは、
フロアの上にフロアと並行に配置されるワークステーション表面、前記ワークステーション表面の上に位置付けられるコンピュータワークステーション、および座部および背部を有し前記ワークステーション表面に隣接して前記フロア上に配置される椅子を含むものであって、
前記コンピュータワークステーション、前記コンピュータワークステーションの前の前記ワークステーション表面、前記椅子が前記コンピュータワークステーションの前の前記ワークステーション表面に隣接して位置付けられるときの前記椅子、および前記コンピュータワークステーションの前の前記ワークステーション表面の下の前記フロアを含む領域であって前記ワークステーション内部に画定された試験ゾーンを有するものであり、
前記コンピュータプログラム命令は、コンピュータプロセッサによって実行可能であり、
前記ワークステーションに配置される、前記従業員の健康のバイオメトリック特性を検出するための、１組のバイオメトリック健康センサを作動することであって、前記１組のバイオメトリック健康センサは、
前記従業員が前記従業員ワークステーションに位置する間に、前記従業員との複数の接触点を介して健康データを収集するように構成され、第１の接触点は、前記試験ゾーンにおける前記フロア上に位置付けられるフロアマットを含み、第２の接触点は、前記作業表面上に位置付けられるコンピュータマウスを含み、第３の接触点は、前記椅子の前記座部および前記背部のうちの１つ以上を含み、
通信ネットワークと通信状態にあり、１つ以上の温度変換器、１つ以上の力変換器、１対以上の導電性接触部、１つ以上の血圧変換器、１つ以上の呼吸センサ、および１つ以上のパルスオキシメーターから構成され、
前記従業員の体温を示す前記温度変換器のうちの１つ以上によって出力される温度データ、前記従業員の体重を示す前記力変換器のうちの１つ以上によって出力される力データ、前記従業員の体脂肪を示す導電性接触部の前記対のうちの１つ以上によって出力される抵抗データ、前記従業員の血圧を示す前記血圧変換器のうちの１つ以上によって出力される圧力データ、前記従業員の前記呼吸数を示す前記１つ以上の呼吸センサによって出力される呼吸データ、および前記従業員の血液酸化を示す前記パルスオキシメーターのうちの１つ以上によって出力される血液状態データから構成される、バイオメトリックセンサデータを出力するように構成されたものであり、
前記フロアマットは、前記１つ以上の温度変換器、前記１つ以上の力変換器、および前記１対以上の導電性接触部のうちの少なくとも１つを備えたものであり、
前記コンピュータマウスは、前記１つ以上の温度変換器、前記１つ以上の血圧変換器、および前記１つ以上のパルスオキシメーターのうちの少なくとも１つを備えたものであり、
前記椅子は、前記椅子の前記座部および前記背部のうちの少なくとも１つに配置される、前記１つ以上の温度変換器、前記１つ以上の力変換器、および前記１対以上の導電性接触部のうちの少なくとも１つを備えたものである、１組のバイオメトリック健康センサを作動すること、
前記通信ネットワークを介して、前記１組のバイオメトリックセンサによって出力される前記バイオメトリックセンサデータを収集すること、
前記バイオメトリックセンサデータを使用して、前記従業員の更新された健康プロファイルを判定すること、
前記従業員への表示のために、前記コンピュータワークステーションを介して、前記従業員の前記更新された健康プロファイルを供給すること、
前記データベースに記憶された前記健康情報を、前記従業員の前記更新された健康プロファイルを反映するように更新すること、の各ステップをもたらすものであり、
前記１組のバイオメトリックセンサによって出力される前記バイオメトリックセンサデータを収集することは、
前記１組のバイオメトリックセンサを作動して、前記従業員の健康試験を実施すること、
前記１組のバイオメトリックセンサを監視して、前記バイオメトリックセンサデータセンサデータを収集すること、の各ステップを含むものであり、
収集された前記バイオメトリックセンサデータを使用して、前記従業員の更新された健康プロファイルを判定することは、
収集された前記バイオメトリックセンサデータを使用して、前記従業員の体温、体重、体脂肪、心拍数、血圧、呼吸数、および血液酸素化のうちの１つ以上を判定すること、
前記従業員について判定された前記体温、前記体重、前記体脂肪、前記心拍数、前記血圧、前記呼吸数、および前記血液酸素化のうちの１つ以上に基づいて、前記従業員のための健康計画を判定すること、の各ステップを含むものであり、
前記更新された従業員健康プロファイルは、前記従業員について決定された前記体温、前記体重、前記体脂肪、前記心拍数、前記血圧、前記呼吸数、前記血液酸素化、および前記健康計画のうちの１つ以上を含むものである、非一過性コンピュータ可読記憶媒体。
【請求項２０】
コンピュータプロセッサに請求項１０〜１８のいずれかに記載の方法を実施させるように前記コンピュータプロセッサにより実行可能な命令を含む、非一過性コンピュータ可読記憶媒体。